(57)【特許請求の範囲】
【請求項１】
胸の両側から脚に掛けて緩いスパイラル状に裁断され、左身頃を左巻または右巻に、右身頃を右巻または左巻に裁断したストレッチ生地素材から裁断した裁断片によって縫製され、また左腕は左巻または右巻に、右腕は右巻または左巻に裁断した、即ち、スパイラル状に裁断したストレッチ生地素材からなる裁断片によって縫製され、該各切断片の裁ち目を正布位置として長手方向にとってあり内面が縫い目となるように中表に縫製されているか、または該各裁断片の裁ち目を正布位置として長手方向にとってあり外面が縫い目となるように外表に縫製等にて一体化させることを特徴とする競泳用水着。
【請求項２】
前記緩いスパイラル状の裁断片を、直線上にのみならず、波形状に、あるいは、鋸歯状に裁断することを特徴とする請求項１記載の競泳用水着。
【請求項３】
前記水着中の所望部位を、縦方向の正布位置をもったストレッチ素材からなる裁断片としてスパイラルを形成しないことを特徴とする請求項１又は２記載の競泳用水着。
【請求項４】
前記縦方向の正布位置をもったストレッチ素材からなる裁断片が、左右に振り分けられる部分中に前中心、または、背中心に相当する部分に構成されることを特徴とする請求項１乃至３記載の競泳用水着。
【請求項５】
前記縦方向の正布位置をもったストレッチ素材からなる裁断片が、脚部中の脹ら脛部に構成されることを特徴とする請求項１乃至３記載の競泳用水着。
【請求項６】
前記左腕と右腕が、スパイラルを形成しないストレッチ生地素材によって構成されることを特徴とする請求項１乃至４記載の競泳用水着。
【請求項７】
前記水着を袖なしのウェットスーツ様を呈した形態としたことを特徴とする請求項１乃至５記載の競泳用水着。
【請求項８】
前記裁断片がストレッチ素材で構成してあり、使用する部位によってその強さ（張力）がそれぞれ異なることを特徴とする請求項１乃至７記載の競泳用水着。
【請求項９】
前記大腿部を包んでいる裁断片が、他の部分より張力の大きいストレッチ素材を使用していることを特徴とする請求項１乃至８記載の競泳用水着。
【請求項１０】
前記裁断片が各部で色分けしてあり、スパイラルを強調する色調となっている請求項１乃至９記載の競技用水着。
【請求項１１】
ウエストから下方部分で構成された請求項１乃至３、又は請求項５、又は請求項８乃至１０記載の競泳用男子水着。
【請求項１２】
前記水着の両脚部が、大腿部下部乃至膝頭上部より上方部分で構成された請求項１乃至４、請求項６乃至１１記載の競泳用水着。
【請求項１３】
前記水着の両脚部がハイレグ形状をなしていることを特徴とする請求項１乃至４、又は請求項６乃至９、又は請求項１０記載の競泳用女子水着。
【請求項１４】
前記水着の各裁断片の長手方向に、略等間隔に、細溝または突条を複数設けたことを特徴とする請求項１乃至１３記載の競泳用水着。
【請求項１５】
前記水着の各裁断片の長手方向に、略並行に、細溝または突条を複数設けたことを特徴とする請求項１乃至１３記載の競泳用水着。
【請求項１６】
前記水着の各裁断片の長手方向に、略等間隔かつ略並行に、細溝または突条を複数設けたことを特徴とする請求項１乃至１３記載の競泳用水着。
【請求項１７】
前記複数の細溝のピッチが３．０ｍｍ乃至２０．０ｍｍ、深さが０．１ｍｍ乃至２．０ｍｍ、幅が０．２ｍｍ乃至２．０ｍｍ、であることを特徴とする請求項１４乃至１６記載の競泳用水着。
【請求項１８】
前記複数の突条ピッチが３．０ｍｍ乃至２０．０ｍｍ、深さが０．１ｍｍ乃至２．０ｍｍ、幅が０．２ｍｍ乃至２．０ｍｍ、であることを特徴とする請求項１４乃至１６記載の競泳用水着。
【請求項１９】
前記細溝が、連続的にまたは断続的に形成されていることを特徴とする請求項１４乃至１７記載の競泳用水着。
【請求項２０】
前記突条が、連続的にまたは断続的に形成されていることを特徴とする請求項１４乃至１６又は請求項１８記載の競泳用水着。
【請求項２１】
前記水着中の所望部位を、縦方向の正布位置をもったストレッチ素材からなる裁断片としてスパイラルを形成しない場合に、前記細溝乃至突条が、体長方向乃至縦方向に形成されていることを特徴とする請求項３記載の競泳用水着。
【請求項２２】
前記複数の細溝または突条の、各々の深さ（細溝の場合）または高さ（突条の場合）や、ピッチ、幅を均一でないようにしたことを特徴とする請求項１３乃至２１記載の競泳用水着。
【請求項２３】
陸上の短距離走やスケートやスキーなどの距離競走、または各種自転車競技やスキーのジャンプ競技など流体抵抗との問題を生ずる衣服である請求項１乃至２２記載のスポーツ用ウェア。
【発明の詳細な説明】
【０００１】
【発明の属する技術分野】
本発明は水または空気の抵抗に係る競泳用水着、或いは全ての流体抵抗に係るスポーツ用ウェア全般に関するものである。
【０００２】
【従来の技術】
従来、殊に近時の競泳においては、１／１００秒を争う競技となってきており、水の抵抗は無視できない問題になっている。即ち、水中を物体が移動する場合、その先端、表面及び後方で水の圧縮と膨張、水の移動と震動、水の吸着などが生じ、その物体をその位置に留まらせるように色々な力が作用する。カルマン渦などもその一つで物体が進行するときにその後方に生じて物体を吸引する。
【０００３】
即ち、物体にはその進行を妨げる方向に力が発生するため、水中の移動は推力にとって非常に困難となる。
競泳も身体を水中で移動させるため、物体を水中移動させる場合と同様の様々な力が加わるばかりでなく、各部を移動させて推力を得るものであるから非常に複雑な要素を内在している。
【０００４】
従来より競泳用水着として、前後身頃の一部に微小の凹凸条や微少の突起列を設けたものがあったが、常時向きの変わる競泳の水着としては、今一つ効果が上がっていない。また、水の剥離を促進させるために水着全体をザラザラにしているものもあるが、これもまた確かな効果は現時点では期待できない。
【０００５】
【発明が解決しようとする課題】
本発明は、以上のような不確かな水の抵抗に対する競泳用水着に代えて、水を積極的にコントロールして抵抗をできるだけ小さくした新規競泳用水着を提供すると共に、着用者の身体を部分的に圧迫して筋力のアップを得ることができ、また着用者の心理的闘争心にも訴えて良好な結果の出易い新規競泳用水着を提供しようとするものである。
【０００６】
同時に、競泳用水着だけでなく空気抵抗との戦いとなる、１００メートル走などの陸上の短距離走やスケートやスキーなどの距離競技、または各種自転車競技やスキーのダウンヒル・ジャンプ競技などのスポーツ用ウェアを提供することを目的とするものである。
【０００７】
【課題を解決するための手段】
本発明の競泳用水着は、胸の両側から脚に掛けて緩いスパイラル状に裁断され、左身頃を左巻または右巻に、右身頃を右巻または左巻に裁断した適宜ストレッチ生地素材から裁断した裁断片によって縫製され、また左腕は左巻または右巻に、右腕は右巻または左巻に裁断したスパイラル状に裁断したストレッチ生地素材からなる裁断片によって縫製されることを要旨とする。尚、所望部位、例えば脹ら脛部などには縦方向の正布位置をもった脹ら脛布で覆ってスパイラルを形成しない部分とすることも、あるいは該部位に積極的にストレート（縦長）の細溝又は突条を設けることも可能である、ことをも要旨とするものである。
【０００８】
又、前記スパイラル状の裁断片を、直線状にのみならず、波形状に、あるいは鋸歯状に裁断することも可能である。
【０００９】
上記左腕と右腕は、スパイラルを形成しないストレッチ生地素材によって構成してもよい。また、上記水着は袖なしのウェットスーツ様を呈した形態とすることもできる。
更に、上記水着は、大腿部下部（膝頭上部）から上方部分で構成することもできる。
【００１０】
上記各裁断片は裁ち目を正布位置として長手方向にとってあり、内面が縫い目となるように中表に縫製される。また、各裁断片はストレッチ素材で構成してあり、使用する部位によってその強さ（張力）がそれぞれ異なり、大腿部を包んでいる裁断片が他の部分より張力の大きいストレッチ素材が使用してあったり、又、脹ら脛部には、他の部位より張力を小さくしたり、と任意に構成することができる。
【００１１】
上記各裁断片は各部で色分けしてあり、スパイラルを強調する色調となっている。更に、左右の胸は胸切換布によって切換模様を呈すると共に無圧力になる背中部にホールを設けた構造になる。
【００１２】
また、本発明の競泳用水着は、ウエストから下方部分で構成した競泳用男子水着にすることもできる。
【００１３】
更に、本発明の競泳用水着は、大腿部下部より上方部分のみで構成されてもよいし、更には、所謂ハイレグカットとして女子用としてもよい。
【００１４】
尚、本発明の競泳用水着には、各裁断片の長手方向に、多数の細溝や、あるいは突条を設けることも、尚好ましい。この細溝及び突条は、連続的であることも、また断続的であることも好もしい。
【００１５】
また、該細溝又は突条の、それぞれ深さ又は高さあるいは、、ピッチや幅を、均一ではないように構成することも可能である。
【００１６】
更に、陸上の短距離走やスケートやスキーなどの距離競技、または各種自転車競技やスキーのダウンヒル・ジャンプ競技などの衣服であるスポーツ用ウェアに構成することもできる。
【００１７】
【実施例１】
以下、図１乃至図３に従って本発明の競泳用水着の第一の実施例を説明する。図１は競泳用女性水着を示す斜視図であり、図２はその側面図、図３はその背面図である。
水着１は、前身頃部２と後身頃部３及び両脚部４が一体に縫合され、袖なしのウェットスーツ様を呈している。
【００１８】
胸の両側から脚に掛けては、緩いスパイラル状に裁断され、例えば左身頃は左巻に右身頃には右巻に裁断した裁断片５，５・・・によって構成される。
また、該裁断方向は左身頃を右巻に、右身頃は左巻に裁断した裁断片５，５・・・によって構成されてもよい。そして各裁断片５は裁ち目６を正布位置として長手方向にとってあり、内面が縫い目７となるように中表に縫製される。
【００１９】
脹ら脛部８は、縦方向の正布位置をもった脹ら脛布９で構成し、スパイラルを形成していない部分である。また、左右の胸は胸切換布１０によって切換模様を呈している。
【００２０】
上記裁断片５，５…は、ストレッチ素材で構成してあり、使用する部位によってその強さはそれぞれ異なる。例えば大腿部を包んでいる裁断片５１は、張力の大きいストレッチ素材が使用してある。また、該裁断片５，５…は各部で色が分けてあり、スパイラルを強調する色調となっている。
【００２１】
上記構成になる競泳用女子水着は、左身頃と右身頃で裁断片５，５・・・が左巻と右巻になっているため、着用者が水を掻いて進むと、左足と右足の後に渦が発生する。このとき該渦水流は裁断片５，５・・・によって左巻と右巻になり、カルマン渦の発生は少なく、阻止される。そして、緩いスパイラル状に裁断される裁断方向が左身頃を右巻に、右身頃は左巻に裁断した裁断片５，５・・・によって構成されている場合にも同様の作用・効果が得られることは言うまでもない。
【００２２】
このため、該競泳用女子水着はカルマン渦の発生が少ないだけ着用者を進行方向の後方から引っ張る力がなくなるため、その分軽く移動することができる。また、この競泳用女子水着は、裁断片５，５…が正布位置としたストレッチ素材で構成してあるから、伸縮性のアップは勿論、適当な筋肉の引き締めが行われるのであり、水着生地が背中部などをより身体に密着させることともなり、また、着用者の筋力が充分に発揮され易く、更に、所謂フィット感を着用者に心理的に与えるなどの利点を有すると共に、特に大腿部を包んでいる裁断片５１に張力の大きいストレッチ素材を使用しているため、着用者の蹴り出し力を強くすることができる。
【００２３】
更に、本発明の競泳用女子水着は裁断片５，５…の色分けによって強烈な個性を印象づけることができるため、外力だけでなく着用者の内面から闘争心を煽るようなデザインに構成することができ、近年言われている内的なエネルギーを発揮される効果がある。
【００２４】
【実施例２】
次に図４乃至図６は背中が開いた背開きタイプの競泳用女子水着を示すものである。
無圧力になる背中部１１にホール１２を設け、他は前記実施例と同じ構造としている。
【００２５】
胸の両側から脚に掛けては、緩いスパイラル状に裁断され、例えば左身頃は左巻に、右身頃には右巻きに裁断した裁断片５，５・・・によって構成される。各裁断片５は裁ち目６を正布位置として長手方向にとってあり、内面が布目７となるように中表に縫製される。脹ら脛部８は、縦方向の正布位置をもった脹ら脛布９で構成してありスパイラルを形成しない部分である。また、左右の胸は胸切換布１０によって切換模様を呈している。
【００２６】
上記裁断片５，５…は、ストレッチ素材で構成してあり、使用する部位によってその強さはそれぞれ異なる。例えば大腿部を包んでいる裁断片５１は、張力の大きいストレッチ素材が使用してある。また、該裁断片５，５…は各部で色が分けてあり、スパイラルを強調する色調となっている。
【００２７】
前記二つの実施例では袖なしの競泳用水着について説明したが、必要なら袖を設けても良い。
図７は袖付きの第三の実施例を示す競泳水着を示すもので、即ち、この場合は、袖１３をストレッチ生地素材の裁断片５，５・・・によって肩口から袖口に向かって緩いスパイラル状に裁断され、袖１３の左腕は左巻に、右腕は右巻に裁断した裁断片５，５・・・によって構成される。また、他の実例として前記パラレル状に裁断される袖１３の裁断方向は、左腕は右巻に、右腕は左巻に裁断した裁断片５，５・・・によって構成されても良い。そして各裁断片５は裁ち目６を正布位置として長手方向にとってあり、内面が縫い目７となるように中表に縫製される。
【００２８】
他の構成は、第一、及び第二実施例と同様であるため同一符号を付して説明を省略する。
この場合は、袖１３のスパイラル作用により腕の延長方向にも水の整流となった渦が形成され、抵抗の原因となるカルマン渦が生じることがないため、後から吸引する力が発生しない。
【００２９】
また袖１３については、これを図示しない通常の一般的なストレッチ生地素材とすることもできる。所謂、特に工夫を加えていない一般の袖であり、腕の保護及びストレッチ効果による筋力のアップの点では貢献するものである。
【００３０】
【実施例４】
また、図８乃至図１０はスパッツ型をした競泳用男子水着を示すものである。
前記実施例とウエストから下方部分に於いて基本的に同様の構成になっており、腰の両側から脚に掛けては、緩いスパイラル状に裁断され、即ち左身頃は左巻または右巻に、右身頃は右巻または左巻に裁断した裁断片５．５・・・によって構成される。
【００３１】
各裁断片５は裁ち目６を正布位置として長手方向にとってあり、内面が布目７となるように中表に縫製される。脹ら脛部８は、縦方向の正布位置をもった脹ら脛布９で覆ってありスパイラルを特に形成していない部分である。
【００３２】
上記裁断片５，５…は、ストレッチ素材で構成してあり、使用する部位によってその強さはそれぞれ異なる。例えば大腿部を包んでいる裁断片５１は、張力の大きいストレッチ素材が使用してある。また、該裁断片５，５…は各部で色が分けてあり、スパイラルを強調する色調となっている。
【００３３】
【実施例５】
以上実施例において、種々形態の競泳用水着について説明したが、上記説明では各裁断片５は裁ち目６を正布位置として長手方向にとってあり、内面が縫い目７となるように中表に縫製されるとしている。しかし、該縫製については、外面が縫い目７となるように外表に縫製することもできる。
【００３４】
この後者の場合は、縫い目７がよりしっかりとしたスパイラル形状を構成するため、スパイラル効果を更に発揮させることができるようになるものである。
【００３５】
【実施例６】
更に図１１は、脹ら脛部８に縦方向の正布位置の存在しない、即ち脚部４の端部４’に至る迄スパイラルを形成させた競泳用男子水着１の背面を示すものである。
【００３６】
全体の構成は、基本的に前述の各実施例、殊に【実施例４】と同様であるが（共通部説明略）、両脚部４の端部４’が、スパイラルを上部より連続して形成している点に於いて異なる。
【００３７】
尚、この場合には、該部位の筋力をそこなって運動機能に悪影響をもたらすことのないように、【実施例４】に於ける脹ら脛部８相当部位８’の張力を、例えば編組織の変化によって、弱くすることもできる。
【００３８】
【実施例７】
図１２は、脚部４中、大腿部１４の下部１４’（乃至膝頭上部）を両脚部４の端部４’として形成した競泳用女子水着１の斜視図である。
【００３９】
【実施例８】
図１３は、水着１のスパイラル状各裁断片５の長手方向に、（即ち、縦方向の正布位置をもった腹部１０’及び脹ら脛部８以外）、細溝６１を多数略等間隔にかつ略並行に、連続的に設けた競泳用女子水着１の側面図である。
この構成により、スパイラル効果は生地カット効果と相俟ってより発揮できる。
【００４０】
この実施例では、細溝６１は、ピッチＰを略１０．０ｍｍ、深さＤを略１．０ｍｍ、幅Ｗを略０．４ｍｍとして構成してあり、該細溝６１は、編み組織変化により、あるいは一般的エンボス加工等任意の手段により形成されうる。
【００４１】
尚、図１４は、図１３に於けるＡ−Ａ線一部拡大端面図である。
又、該細溝６１は、実施例では、逆台形状を呈しているが、その形状の如何を問わず、凹部を構成していれば足りる。
【００４２】
【実施例９】
図１５は、上記実施例８とは逆に、水着１のスパイラル状各裁断片５の長手方向に（即ち、縦方向の正布位置をもった腹部１０’及び脹ら脛部８以外）、突条７１を多数略等間隔にかつ略並行に設けた競泳用女子水着１の側面図である。
【００４３】
この実施例では、突条７１は、ピッチＰを略１０．０ｍｍ、高さＨを略１．０ｍｍ、幅Ｗを略０．４ｍｍとして構成してある。
この構成によると、スパイラル効果は、【実施例８】と同じく、より発揮できることになる。
尚、該突条７１も、細溝６１と同じく、編み組織の変化によって、あるいは一般的なエンボス加工など任意の手段によって形成されうるものである。
【００４４】
又、図１６は、図１５に於けるＢ−Ｂ線一部拡大端面図である。
尚、該突条７１は、実施例においては、台形状を呈しているが、その形状の如何に問わず、要するに凸部を形成していればよい。
【００４５】
【実施例１０】
図１７は、第十の実施例を示す、スパッツ型男子用水着の側面図である。
この例に於いては、水着１のスパイラル状各裁断片５の長手方向に、突条を特に設けない脹ら脛部８や腹部１０’以外の、スパイラル状各裁断片５全体に、複数の突条８１が連続的にではなく適宜断続的に設けられている。
【００４６】
該複数の突条は、ピッチＰを略１０．０ｍｍ、高さＨを略１．０ｍｍ、幅Ｗを略０．４ｍｍとして構成してある。断続している空白部分の長さＳは略１ｍｍ乃至５ｍｍ程度である。
【００４７】
この例の場合に於いても、カルマン渦の発生は充分に抑制され水をコントロールすることができたのであり、結果として特に劣るものは何も生じることはなかった。
【００４８】
【実施例１１】
図１８は、第十一の実施例を示す、ハイレグ女子用水着の斜視図である。
この場合も、脇から股の付け根１５に至っては、スパイラル状の裁断片５の長手方向に複数の細溝６１が形成されている。そして、この結果も、従来の水着と比して良好であった。
【００４９】
【実施例１２】
尚、前記【実施例８】乃至【実施例１１】中の細溝６１又は突条７１は、図示はしないが、それぞれ必要ならば、複数本中の任意の本数を、深さ（細溝６１の場合）又は高さ（突条７１の場合）又、ピッチ、幅が均一でないように構成して第十二の実施例とすることも可能である。
【００５０】
【実施例１３】
図１９は第十三の実施例を示すものであって、図１０に同じく、所定部位（この場合は脚部４の脹ら脛部８）が、縦方向の正布位置をもった脹ら脛布９で構成してあり、スパイラルを特に形成しない部分であって、かつ、該部８には縦方向に細溝６１（又は突条７１）を形成している競泳用女子水着の背面を示す図である。
この例に於いても、該脹ら脛部８の筋力は充分に発揮され、好もしい結果を得ることが可能であった。
尚、本図に於いては、説明の便宜上、該当部分のみを明示し、他は省略した。
【００５１】
【実施例１４】
図２０は、第十四の実施例を示す競泳用女子水着の斜視図である。
この例に於いては、緩いスパイラルを構成する各裁断片５，５・・・は、第一実施例を示す図１〜図３とは異なり、直線状裁断ではなく、緩い波形状の裁断部６として構成してある。
本例に於いても、スパイラル効果は充分に発揮され良好な結果を生じている。
尚、本例の構成は、上記以外に於いては図１と全く同様であるため、他の符号の説明は全て省略した。
又、この場合には、長手方向の細溝６１，６１・・・又は突条７１，７１・・・は、前記各裁断片の各裁断部と同じく、略等間隔に及び／又は略並行に緩い波形状を呈することになる。
【００５２】
【実施例１５】
図２１は、第十五の実施例を示す競泳用女子水着の斜視図である。
本例に於いては、上記【実施例十四】と異なるのは、裁断部６が、鋸歯状となっている点のみである。
本例に於いても、良好な結果が示された。
尚、その余の符号の説明は全て省略した。
又、この場合も、長手方向の細溝６１，６１・・・又は突条７１，７１・・・は、緩い鋸歯状を呈することも上記【実施例十四】と同様である。
【００５３】
【実施例１６】
また前記各実施例の説明では、競泳水着についてのみ述べたが、特に競泳用水着だけでなく、空気抵抗との戦いとなる、１００メートル走などの陸上の短距離走や、スケートやスキーなどの距離競技、または各種自転車競技やスキーのダウンヒル・ジャンプ競技、など種々のスポーツ用ウェアについても同様に実施することができる。
【００５４】
【発明の効果】
以上述べたように本発明の競泳用水着は、水着の裁断片をスパイラルが生ずるように裁断してこれを縫製したことにより、着用者の後側にカルマン渦の発生が少なくなり、その分軽く移動することができる。また裁断片を正布位置としたストレッチ素材で構成してあるため、伸縮性アップは勿論、適当な筋肉の引き締めも行われ、着用者の筋力が発揮され易い利点を有すると共に、又、例えば特に大腿部を包んでいる裁断片などには張力の大きいストレッチ素材を使用したり、場合によっては、スパイラル構造となる脹ら脛部乃至同相当部位には張力の小さいストレッチ素材を使用したりしているため、着用者の蹴り出し力を強くしたり、あるいは該蹴り出し力に悪影響を与えないようにすることができる。
【００５５】
更に、本発明では裁断片の色分けによって強烈な個性を印象づけることができるため、着用者の内面から闘争心を煽るようなデザインに構成することもできることは勿論である。
【００５６】
又、本発明は競泳用水着だけでなく、例えば、陸上の短距離走や、スケートやスキーなどの距離競技、または各種自転車競技やスキーのダウンヒル・ジャンプ競技など、空気抵抗乃至流体抵抗に関わるスポーツ用ウェア全般についても同様に実施することができる、等の特徴を有するものであり、本発明の実施によって得られる効果は極めて大きい。
【図面の簡単な説明】
【図１】本発明の好ましい実施の形態を示す競泳用女子水着の斜視図である。
【図２】同側面図である。
【図３】同背面図である。
【図４】本発明の他の実施例を示す競泳用女子水着の斜視図である。
【図５】同側面図である。
【図６】同背面図である。
【図７】本発明の第三の実施例を示す袖付きの競泳用水着の斜視図である。
【図８】本発明の第四及び第五の実施例を示す競泳用男子水着の斜視図である。
【図９】同側面図である。
【図１０】同背面図である。
【図１１】本発明の第六の実施例を示す競泳用男子水着の背面図である。
【図１２】本発明の第七の実施例を示す競泳用女子水着の斜視図である。
【図１３】本発明の第八の実施例を示す競泳用女子水着の側面図である。
【図１４】上記実施例の、Ａ−Ａ線一部拡大端面図である。
【図１５】  本発明の第九の実施例を示す競泳用女子水着の側面図である。
【図１６】上記実施例の、Ｂ−Ｂ線一部拡大端面図である。
【図１７】本発明の第十の実施例を示す、スパッツ型競泳用男子水着の側面図である。
【図１８】本発明の第十一の実施例を示す、ハイレグ型競泳用女子水着の斜視図である。
【図１９】本発明の第十三の実施例を示す、競泳用女子水着の背面図である。
【図２０】本発明の第十四の実施例を示す、裁断部が波形状を呈する競泳用女子水着の斜視図である。
【図２１】本発明の第十五の実施例を示す、裁断部が鋸歯状を呈する競泳用女子水着の斜視図である。
【符号の説明】
１  水着
２  前身頃部
３  後身頃部
４  脚部
４’脚部端部
５  裁断片
６  裁ち目
７  縫い目
８  脹ら脛部
８’脹ら脛部相当部位
９  脹ら脛布
１０  胸切換布
１０’腹部
１１  背中部
１２  ホール
１３  袖
１４  大腿部
１４’大腿部下部（膝頭上部）
１５  股付け根
５１  裁断片
６１  細溝
７１  突条
８１  突条
Ｐ  ピッチ
Ｄ  深さ
Ｗ  幅
Ｈ  高さ
Ｓ  空白部分長さ
【図１】
0003682715.tif 000002
【図２】
0003682715.tif 000003
【図３】
0003682715.tif 000004
【図４】
0003682715.tif 000005
【図５】
0003682715.tif 000006
【図６】
0003682715.tif 000007
【図７】
0003682715.tif 000008
【図８】
0003682715.tif 000009
【図９】
0003682715.tif 000010
【図１０】
0003682715.tif 000011
【図１１】
0003682715.tif 000012
【図１２】
0003682715.tif 000013
【図１３】
0003682715.tif 000014
【図１４】
0003682715.tif 000015
【図１５】
0003682715.tif 000016
【図１６】
0003682715.tif 000017
【図１７】
0003682715.tif 000018
【図１８】
0003682715.tif 000019
【図１９】
0003682715.tif 000020
【図２０】
0003682715.tif 000021
【図２１】
0003682715.tif 000022